(57)【要約】【課題】商品見本を載置する鋼板製のディスプレイ台を削減することが可能で、ディスプレイ室の奥行き寸法を小さくすることが可能な自動販売機を提供する。【解決手段】本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段を、前記発光ダイオードを内蔵し、前記ディスプレイ室の背面を形成する中扉６０に取付けられる発光ダイオード組立体１により構成し、当該発光ダイオード組立体１にフルタイプの商品見本より厚みの薄いハーフタイプ若しくはフラットタイプの商品見本８０Ａを展示するホルダー２を一体に形成し、発光ダイオード組立体１を商品見本８０Ａの展示に兼用することによりディスプレイ室の奥行き寸法の縮小化を図る。【選択図】図１
2013061723.tif 000002
【特許請求の範囲】
【請求項１】
本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、当該発光ダイオード組立体にハーフタイプ若しくはフラットタイプの商品見本を展示するホルダーを一体に形成したことを特徴とする自動販売機。
【請求項２】
請求項１記載の自動販売機において、発光ダイオード組立体は、底面が発光ダイオードからの光を透過可能な透光部として形成された下枠部材と、複数の発光ダイオードが実装され、当該発光ダイオードからの光が前記透光部に投光されるように下枠部材に固着されたプリント配線基板と、このプリント配線基板を覆うように前記下枠部材に固着される上枠部材とからなり、前記上枠部材に連ねて商品見本を展示するホルダーを一体に形成してなることを特徴とする自動販売機。
【請求項３】
請求項１または請求項２のいずれかに記載の自動販売機において、ホルダーは、フラットタイプの商品見本の下端を保持する一条の保持溝を有し、かつ、前記一条の保持溝を前方側に凸となるように湾曲状に形成した保持部からなることを特徴とする自動販売機。
【請求項４】
請求項３記載の自動販売機において、前記保持溝は、その内壁が互い違いに噛み合う鋸歯状であって、対向する鋸歯の先端の間に微小間隙が生じるように形成されてなることを特徴とする自動販売機。
【請求項５】
請求項３に記載の自動販売機において、ホルダーは、フラットタイプの商品見本を保持する保持部から後方に延在するとともにハーフタイプの立体状商品見本を挟持するクリップを有することを特徴とする自動販売機。
【請求項６】
請求項１乃至請求項５のいずれかに記載の自動販売機において、発光ダイオード組立体は、ディスプレイ室の左右方向に延在する態様で横長帯状体として形成され、この発光ダイオード組立体の上枠部材に連ねて商品見本を展示するホルダーが左右方向に複数形成されてなることを特徴とする自動販売機。
【請求項７】
請求項６に記載の自動販売機において、発光ダイオード組立体は、左右方向に複数形成されたホルダーに対応して商品のコールド，ホット状態を表す冷温情報および商品の価格情報を表示する商品情報表示部材が着脱自在に装着される商品情報表示部を有することを特徴とする自動販売機。
【請求項８】
請求項７に記載の自動販売機において、商品情報表示部は、個別の商品情報表示部材が装着される態様で、複数のホルダーに個別に設けられていることを特徴とする自動販売機。
【請求項９】
請求項７に記載の自動販売機において、商品情報表示部は、複数の冷温情報および価格情報を表示する横長帯状の商品情報表示部材が装着される態様で複数のホルダーに跨って設けられていることを特徴とする自動販売機。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、前記本体キャビネットの前面を開閉する外扉のディスプレイ室内に展示した商品見本を照明する照明手段を備え、前記照明手段の光源として発光ダイオードを用いた自動販売機に関するものである。
【背景技術】
【０００２】
この種の従来の自動販売機について図２０を用いて説明する。図２０は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面にヒンジにより開閉可能に支持された外扉２０とからなる。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。また、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。なお、６０１は、中扉６０の下端に取付けられたポスターパネル展示部である。
【０００４】
前記ディスプレイ台７０が取付けられる中扉６０の背面には本体キャビネット１０の前面開口を閉塞する開閉自在な断熱内扉３０が設けられている。この断熱内扉３０は、上下に分割された上部断熱内扉３０ａと下部断熱内扉３０ｂとからなる。図では断熱内扉３０が本体キャビネット１０の前面開口を閉塞する態様を示すために上部断熱内扉３０ａが本体キャビネット１０の前面開口を閉塞した状態を示しているが、通常前記上部断熱内扉３０ａは中扉６０の背面に固着されており、外扉２０を開放した際、外扉２０に係止された中扉６０とともに上部断熱内扉３０が開くことにより本体キャビネット１０の庫内上部、すなわち、商品ラックの商品投入口が露出するように構成されている。なお、上下に分割された下部断熱内扉３０は、本体キャビネット１にヒンジ機構を介して開閉自在に取付けられ、商品ラックへの商品補充時（外扉開放時）には閉じた状態を維持して庫内空気の流出を防止するように構成され、メンテナンス時に開放されるように構成されている。
【０００５】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する円形の係合穴が左右方向に複数並設されている。また、商品載置台の前面壁には各商品見本８０に対応する商品のコールド，ホット状態を表す冷温情報を表示する冷温表示部材および商品の価格情報を表示する価格表示部材が装着される。
【０００６】
前記商品見本８０は光透過材料により形成された中空円筒状（立体状）の本体の底面に光導入部を設けたフルタイプの商品見本からなり、前記光導入部から本体の内部に光を導入して本体を内側から照明するように構成されている。前記商品見本８０は前記ディスプレイ台７０に形成した円形の係合穴に嵌合保持されると、ディスプレイ台７０の内部に設けた照明光源からの光がディスプレイ台７０の係合穴と商品見本８０の底部に形成した光導入部とを通して中空円筒状の商品見本８０の内部に照射され、商品見本が恰も発光しているように展示されることは周知である。前記商品見本８０は立体、具体的には、缶，瓶，ペットボトルなどの容器形状に一致させた中空円筒状の本体を備えたフルタイプの商品見本や、前記中空円筒状の本体を縦方向に半割り状に切断したハーフタイプの商品見本などがディスプレイ台に形成した円形の係合部に嵌合保持するようにされている。（例えば、特許文献１）。また、前記商品見本８０を照明する照明光源として発光ダイオードを用い、この発光ダイオードをディスプレイ台に取付けたものも知られている（例えば、特許文献２）。
【先行技術文献】
【特許文献】
【０００７】
【特許文献１】特許第３６４４３０１号公報
【特許文献２】特許第４４１５５１０号公報
【発明の概要】
【発明が解決しようとする課題】
【０００８】
ところで、特許文献１に記載されたディスプレイ台７０は、商品載置台に中空円筒状のフルタイプの商品見本８０を嵌合保持する円形の係合部を有し、中扉６０に取付けられたうえで前記商品見本８０を載置して展示するように構成されているので、少なくともフルタイプの商品見本８０の径（厚み）と略同一の厚みを有している。このため、ディスプレイ室５０における透明板４０と中扉６０との間の寸法（奥行き寸法ともいう）は比較的大きい。ここで、自動販売機は薄型化（前後方向の奥行き幅の薄型化）が図られており、ディスプレイ室５０の透明板４０から中扉６０の背面に固着された上部断熱内扉３０の背面までの寸法も所定の寸法に定められている。このため、上部断熱内扉３０の厚みは、ディスプレイ室５０の奥行き寸法により一義的に定められ、ディスプレイ室５０の奥行き寸法が大きくなると庫内の断熱性能に影響を及ぼす上部断熱内扉３０の厚みが制限される。断熱内扉３０の断熱材料の価格は、低価格帯から高価格帯まで幅広く存在し、低価格帯の断熱材料と高価格帯の断熱材料とを対比すると、厚みが同一である場合、前者に対して後者の断熱性能が高い。したがって、ディスプレイ室５０の奥行き寸法により厚みが制限された上部断熱内扉３０により所定の断熱性能を得るためには高価格帯の断熱材料を用いなければならず、コストが上昇するという課題を有する。また、前記ディスプレイ台７０は、目方のある鋼板等の金属材料により形成されているうえにディスプレイ室５０内に上下に複数段配設されることから自動販売機の重量が増加するという課題を有する。
【０００９】
前述したように、前記ディスプレイ室５０の奥行き寸法の殆どを占めるフルタイプの商品見本８０、例えば、図２０に例示した缶，ペットボトルなどの容器形状に一致させた商品見本８０に対し、前記フルタイプの商品見本８０を縦方向に半分に切断したハーフタイプの商品見本、若しくは薄いプラスチックシートに商品の外観意匠を印刷したフラットタイプの商品見本が知られている。これらのハーフタイプの商品見本，フラットタイプの商品見本を用い、かつ、照明光源としての蛍光灯に代えて発光ダイオードを用いることによりディスプレイ台７０の厚みを小さくしてディスプレイ室５０の奥行き寸法を小さくすることが考えられる。しかしながら、ハーフタイプの商品見本についてディスプレイ台７０の円形の係合穴に直接嵌合させて展示され、また、フラットタイプの商品見本については前記ディスプレイ台７０に追加装備されるアタッチメント等により展示されるように構成される一方、照明光源としての発光ダイオードはただ単に蛍光灯と置換するように構成、つまり、フルタイプの商品見本８０を展示するディスプレイ台７０に発光ダイオードを取付けるという構成が採用されているに留まり、ディスプレイ室を薄型化した自動販売機は出現していない。
【００１０】
そこで、本発明は上記の点に鑑みなされたものであり、その目的は前記課題を解決し、商品見本を載置する鋼板製のディスプレイ台を削減することが可能で、ディスプレイ室の奥行き寸法を小さくすることが可能な自動販売機を提供することにある。
【課題を解決するための手段】
【００１１】
上記目的を達成するため請求項１に係る自動販売機は、本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、当該発光ダイオード組立体にハーフタイプ若しくはフラットタイプの商品見本を展示するホルダーを一体に形成したことを特徴とする。
【００１２】
また、請求項２に係る自動販売機は、請求項１記載の自動販売機において、発光ダイオード組立体は、底面が発光ダイオードからの光を透過可能な透光部として形成された下枠部材と、複数の発光ダイオードが実装され、当該発光ダイオードからの光が前記透光部に投光されるように下枠部材に固着されたプリント配線基板と、このプリント配線基板を覆うように前記下枠部材に固着される上枠部材とからなり、前記上枠部材に連ねて商品見本を展示するホルダーを一体に形成してなることを特徴とする。
【００１３】
また、請求項３に係る自動販売機は、請求項１または請求項２のいずれかに記載の自動販売機において、ホルダーは、ホルダーは、フラットタイプの商品見本の下端を保持する一条の保持溝を有し、かつ、前記一条の保持溝を前方側に凸となるように湾曲状に形成した保持部からなることを特徴とする。
【００１４】
また、請求項４に係る自動販売機は、請求項４記載の自動販売機において、前記保持溝は、その内壁が互い違いに噛み合う鋸歯状であって、対向する鋸歯の先端の間に微小間隙が生じるように形成されてなることを特徴とする。
【００１５】
さらに、請求項５に係る自動販売機は、請求項３に記載の自動販売機において、フラットタイプの商品見本を保持するホルダーから後方に延在するとともにハーフタイプの立体状商品見本を挟持するクリップを有することを特徴とする。
【００１６】
また、請求項６に係る自動販売機は、請求項１乃至請求項５のいずれかに記載の自動販売機において、発光ダイオード組立体は、ディスプレイ室の左右方向に延在する態様で横長帯状体として形成され、この発光ダイオード組立体の上枠部材に連ねて商品見本を展示するホルダーが左右方向に複数形成されてなることを特徴とする。
【００１７】
また、請求項７に係る自動販売機は、請求項６に記載の自動販売機において、発光ダイオード組立体は、左右方向に複数形成されたホルダーに対応して商品のコールド，ホット状態を表す冷温情報および商品の価格情報を表示する商品情報表示部材が着脱自在に装着される商品情報表示部を有することを特徴とする。
【００１８】
また、請求項８に係る自動販売機は、請求項７に記載の自動販売機において、商品情報表示部は、個別の商品情報表示部材が装着される態様で、複数のホルダーに個別に設けられていることを特徴とする。
【００１９】
また、請求項９に係る自動販売機は、請求項７に記載の自動販売機において、商品情報表示部は、複数の冷温情報および価格情報を表示する横長帯状の商品情報表示部材が装着される態様で複数のホルダーに跨って設けられていることを特徴とする。
【発明の効果】
【００２０】
本発明の請求項１に係る自動販売機によれば、本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、当該発光ダイオード組立体にハーフタイプ若しくはフラットタイプの商品見本を展示するホルダーを一体に形成したことにより、複数の商品見本を照明する発光ダイオード組立体を商品見本展示用のディスプレイ台として兼用することができ、前記発光ダイオード組立体は従来装置のディスプレイ台に対して厚みを小さくすることが可能であり、商品見本としてフルタイプの商品見本に対して厚みの小さいハーフタイプ若しくはフラットタイプの商品見本を採用することによって、ディスプレイ室の奥行き寸法を小さくすることができる。したがって、ディスプレイ室の背面に固着された断熱内扉の厚みを厚くすることができるので、断熱内扉による庫内の断熱性能を従来装置の性能と同一とした場合には低価格帯の断熱材料を使用することができ、コストの低減を図ることが可能となる。さらに、鋼板製のディスプレイ台を削減することができるので、自動販売機の総重量を低減することができるものである。
【００２１】
また、請求項２に係る自動販売機によれば、請求項１記載の自動販売機において、発光ダイオード組立体は、底面が発光ダイオードからの光を透過可能な透光部として形成された合成樹脂製の下枠部材と、複数の発光ダイオードが実装され、当該発光ダイオードからの光が前記透光部に投光されるように下枠部材に固着されたプリント配線基板と、このプリント配線基板を覆うように前記下枠部材に固着される合成樹脂製の上枠部材とからなり、前記上枠部材に連ねて商品見本を展示するホルダーを一体に形成してなることにより、簡単な構成により発光ダイオード組立体を得ることができ、ホルダー付きの発光ダイオード組立体をモジュール部品として自動販売機の製造ラインに投入することができる。
【００２２】
また、請求項３に係る自動販売機によれば、ホルダーは、フラットタイプの商品見本の下端を保持する一条の保持溝を有し、かつ、前記一条の保持溝を前方側に凸となるように湾曲状に形成した保持部からなることにより、前記ホルダーの保持部に形成された湾曲した保持溝に下端を保持されたフラットタイプの商品見本が保持溝の湾曲に倣って湾曲するので、その剛性を高めることができ、フラットタイプの商品見本を起立姿勢に維持することができる。
【００２３】
また、請求項４に係る自動販売機によれば、請求項３記載の自動販売機において、前記保持溝は、その内壁が互い違いに噛み合う鋸歯状であって、対向する鋸歯の先端の間に微小間隙が生じるように形成されてなることにより、商品見本展示用アタッチメントをプラスチック成形品とした場合にも薄いプラスチックシートからなるシート状商品見本を保持可能な一条の微小間隙を形成することが可能となる。
【００２４】
また、請求項５に係る自動販売機は、請求項３に記載の自動販売機において、フラットタイプの商品見本を保持するホルダーから後方に延在するとともにハーフタイプの立体状商品見本を挟持するクリップを有することにより、発光ダイオード組立体を用いてハーフタイプの商品見本を展示すること、或いはハーフタイプの商品見本とフラットタイプの商品見本の両者を混合して展示することができる。
【００２５】
また、請求項６に係る自動販売機は、請求項１乃至請求項５のいずれかに記載の自動販売機において、発光ダイオード組立体は、ディスプレイ室の左右方向に延在する態様で横長帯状体として形成され、この発光ダイオード組立体の上枠部材に連ねて商品見本を展示するホルダーが左右方向に複数形成されてなることにより、従来装置のディスプレイ台と同様に左右方向に延在する一つの発光ダイオード組立体として形成することができる一方、従来装置のディスプレイ台を左右方向にｎ分割（ｎ＜２以上の整数）したユニットとして形成してこれらを横並びに並設することも可能であり、この場合にはプリント配線基板に実装された複数の発光ダイオードのうちの一つの発光ダイオードが故障、若しくはホルダーが破損した際、当該故障した発光ダイオード、若しくは破損したホルダーを搭載した発光ダイオード組立体のみを交換すれば部品の無駄を削減することができる。
【００２６】
また、請求項７に係る自動販売機は、請求項６に記載の自動販売機において、発光ダイオード組立体は、左右方向に複数形成されたホルダーに対応して商品のコールド，ホット状態を表す冷温情報および商品の価格情報を表示する商品情報表示部材が着脱自在に装着される商品情報表示部を有することにより、別途商品情報表示部材を保持する部材を設ける必要がないので部品点数を削減することが可能となる。この場合、請求項８に係る自動販売機のように、商品情報表示部を、個別の商品情報表示部材が装着される態様で、複数のホルダーに個別に設けたことにより個別の商品情報表示部材を装着することができ、また、請求項９に係る自動販売機のように、商品情報表示部を、複数の冷温情報および価格情報を表示する横長帯状の商品情報表示部材が装着される態様で複数のホルダーに跨って設けたことにより、横長帯状の商品情報表示部材を装着することができる。
【図面の簡単な説明】
【００２７】
【図１】本発明の実施の形態１に係る自動販売機の主要部である発光ダイオード組立体を中扉に取付けた状態の斜視図である。
【図２】図１に示した３段の発光ダイオード組立体のうちの最下位の発光ダイオード組立体にフラットタイプの商品見本を展示した状態の斜視図である。
【図３】図２に示した発光ダイオード組立体の分解斜視図である。
【図４】図３の発光ダイオード組立体の上枠部材を平面から見た状態を示し、（ａ）は上枠部材の平面図、（ｂ）は（ａ）の左端側の拡大図である。
【図５】図４のＡ−Ａ断面図である。
【図６】本発明の実施の形態２に係る自動販売機の主要部である発光ダイオード組立体にハーフタイプの商品見本とフラットタイプの商品見本とを展示した状態の斜視図である。
【図７】図６に示した発光ダイオード組立体の分解斜視図である。
【図８】図７に示した発光ダイオード組立体の右端側の拡大平面図である。
【図９】図８のＢ−Ｂ線断面図である。
【図１０】図９に示した発光ダイオード組立体にハーフタイプの商品見本状態の断面図である。
【図１１】本発明の実施の形態３に係る自動販売機の主要部である発光ダイオード組立体に展示したフラットタイプの商品見本に対応する個別の商品情報表示部材を装着した状態の斜視図である。
【図１２】図１１に示した発光ダイオード組立体の分解斜視図である。
【図１３】図１１の発光ダイオード組立体における上枠部材を右斜め上方から見た斜視図である。
【図１４】図１３の上枠部材における左端側の拡大斜視図である。
【図１５】個別の商品情報表示部材を示し、（ａ）は商品情報表示部材の展開図、（ｂ）は商品情報表示部材の折り畳み図である。
【図１６】本発明の実施の形態４に係る自動販売機の主要部である発光ダイオード組立体に展示したフラットタイプの商品見本に対応する複数の冷温情報および価格情報を表示した商品情報表示部材を装着した状態の斜視図である。
【図１７】図１６に示した発光ダイオード組立体の分解斜視図である。
【図１８】図１１の発光ダイオード組立体における上枠部材を右斜め上方から見た斜視図である。
【図１９】横長帯状の商品情報表示部材の一部切欠正面図である。
【図２０】本発明が対象とする自動販売機の一例を示す斜視図である。
【発明を実施するための形態】
【００２８】
以下、本発明の実施の形態に係る自動販売機について添付図面を参照して説明する。なお、本発明の実施の形態に係る自動販売機の商品見本展示装置が従来装置と相違する点は特にディスプレイ室の周辺であり、ここでは従来装置と相違するディスプレイ室の周辺について説明することとし、また、自動販売機の全体構成は図２０に示したものと同一であるので適宜図２０を参照しつつ説明を行う。
【００２９】
（実施の形態１）
図１において、６０で再びディスプレイ室５０（図２０参照）を構成する中扉を示し、この中扉６０は左端に設けたヒンジ金具６０ａ，６０ａにより外扉２０（図２０参照）に開閉自在に取付けられ、右端に設けた係止金具６０ｂにより外扉２０に係止されるように構成されており、背面には上部断熱内扉３０ａが固着されている。１は発光ダイオード組立体であり、この発光ダイオード組立体１はディスプレイ室５０（図２０参照）を構成する中扉６０の左右方向に延在する態様で横長帯状体として形成され、中扉６０に上下方向に３段並べて取付けられている。前記発光ダイオード組立体１はディスプレイ室５０の左右方向にｎ分割（ｎ＜２以上の整数）したユニットとして形成され、この実施の形態では図１の下段に取付けられた発光ダイオード組立体１が一つのユニットとして形成され、中段および上段には２つの発光ダイオード組立体１が横並びに並設されているものである。
【００３０】
図２および図３は、前記下段の発光ダイオード組立体１の斜視図および分解斜視図を示し、図２および図３をも参照して発光ダイオード組立体１をさらに詳しく説明する。前記発光ダイオード組立体１は、下枠部材１１と上枠部材１２とを組み合わせることにより両者の間に形成された空間に複数の発光ダイオードＬＥＤ（後述する図５参照）が実装されたプリント配線基板１３を配設してなるものである。
【００３１】
前記下枠部材１１は、横長帯状の薄い箱型に形成された乳白色の合成樹脂製になり、周壁（前後左右の側壁）に対して薄肉に形成された底面が投光窓１１１として形成されている。前記投光窓１１１は前述したように薄肉に形成されて発光ダイオードＬＥＤからの光を透過可能な透光部として形成されるとともにその内壁面が梨子地状に形成されて透光部を通過する光を分散させるように構成されている。前記下枠部材１１には投光窓１１１を横切るスペーサー部１１２と、このスペーサー部１１２の前後両端から上方に延在した係止片１１３，１１３とからなる挟持ピース１１４が投光窓１１１の延在方向に複数設けられ、また、下枠部材１１の左右側壁内面にはスペーサー１１５が設けられている。さらに、下枠部材１１の底面における前後側壁の近傍には上方に延在する複数の係合爪１１６が形成されている。それぞれの係合爪１１６は可撓性を有しており、その先端には外方に向いたフックが形成されている。
【００３２】
前記プリント配線基板１３は、下枠部材１１の内部に収容可能な大きさの横長帯状に形成され、前記下枠部材１１の挟持ピース１１４のスペーサー部１１２およびスペーサー１１５の上に載置した状態で配設され、挟持ピース１１４の係止片１１３，１１３に挟持されて下枠部材１１に固着されている。このプリント配線基板１３の一方の面（図３では背面側となる下面）に複数の発光ダイオードＬＥＤ（図５参照）が投光窓１１１に対向して実装され、他方の面（図３では上面）の左右端部に配線接続用のコネクタ１３１が搭載されている。
【００３３】
前記上枠部材１２は、下枠部材１１の外観と同一の概観を呈する横長帯状の薄い箱型に形成された乳白色の合成樹脂製になる。この場合、上枠部材１２は下枠部材１１の底面に形成された投光窓１１１、挟持ピース１１４およびスペーサー１１５については備えておらず、全体が圧肉に形成されている。また、上枠部材１２の前後側壁の内面には、前記下枠部材１１の係合爪１１６と対峙する箇所に内方を向いたフック１２１（後述する図５参照）が形成されている一方、前後側壁の外面には、それぞれ一対の係合穴１２２，１２２が形成されている。
【００３４】
そして、前記上枠部材１２の頭部には複数のホルダー２が一体に形成されている。このホルダー２はフラットタイプの商品見本８０Ａ（図１，図２参照）を起立姿勢に保持して展示するものである。このフラットタイプの商品見本８０Ａについては後述する。前記ホルダー２は、上枠部材１２の平面図を示す図４も参照すると明らかように、それぞれ前方側に凸の湾曲状に形成されており、その湾曲に沿ってそれぞれ一条の保持溝２１が形成されている。前記保持溝２１は、上方および左右側方に開放しており、上方の開放部から嵌入されたフラットタイプの商品見本８０Ａを保持するように構成されている。この場合、フラットタイプの商品見本８０Ａが薄いプラスチックシートからなり、この薄いフラットタイプの商品見本８０Ａを保持するために前記保持溝２１の溝幅は微小間隙として形成せねばならない。このため、図４の（ｂ）に拡大して示すように、前記保持溝２１の内壁は互い違いに噛み合う鋸歯状に形成され、両者の鋸歯の先端の間に微小間隙が生じるように構成し、合成樹脂からなるホルダー２に微小間隙を形成することを可能としている。なお、図４から明らかなように、上枠部材１２の頭部には前記プリント配線基板１３に搭載されたコネクタ１３１が貫通するコネクタ貫通穴１２３が穿孔されている。
【００３５】
また、図１乃至図３、および図５において、３は発光ダイオード組立体１を保持して中扉６０に取付けるための合成樹脂製の取付台である。この取付台３は、図３および図５に示すように、前方側には発光ダイオード組立体１を載置する載置面３１およびこの載置面３１の前後両端に設けた前後一対の挟持片３２，３３が形成され、後端壁３４には中扉６０に設けた係止孔（不図示）を貫通して中扉６０の背面に当接して取付台３を中扉６０に固着する係止片３５が形成されている。前記挟持片３２，３３の先端にはそれぞれ内方に向いたフックが形成され、前方側の挟持片３２は後方側の挟持片３３に対して大きく撓むことができるように外方に突出する態様の湾曲形状に形成されている。
【００３６】
次に、発光ダイオード組立体１の組立てについて説明すると、まず、下枠部材１１の挟持ピース１１４のスペーサー部１１２およびスペーサー１１５の上にプリント配線基板１３を載置する。この場合、プリント配線基板１３は、発光ダイオードＬＥＤが下枠部材１１の投光窓１１１に臨むように一方の面が下枠部材１１の底面を向き、かつ、挟持ピース１１４における係止片１１３，１１３の間に嵌入する。これにより、プリント配線基板１３は挟持ピース１１４における係止片１１３，１１３に挟持された状態で下枠部材１１に固着される。次いで、下枠部材１１の上方から上枠部材１２を被せるように取付ける。この場合、下枠部材１１の周壁端面に上枠部材１２の周壁端面を対峙させた状態で上枠部材１２を下枠部材１１に近接させると、下枠部材１１の係合爪１１６における外方を向いたフックが上枠部材１２の前後側壁の内面に沿ってその内部に進入する。そして、前記係合爪１１６のフックが上枠部材１２の前後側壁内面に形成したところの内方を向いたフック１２１に当接すると係合爪１１６が内方に撓んで前記係合爪１１６のフックの上枠部材１２の内部への進入を許容するので、前記係合爪１１６のフックはフック１２１の傾斜面に沿って上枠部材１２の内部に進入する。そして、前記係合爪１１６のフックがフック１２１の傾斜面を乗り越えると撓んでいた前記係合爪１１６が元の状態に復元して係合爪１１６のフックがフック１２１と係合し、下枠部材１１と上枠部材１２とが相互に結合されて発光ダイオード組立体１のユニットが完成する。このように組み立てられた発光ダイオード組立体１の上枠部材１２のコネクタ貫通穴１２３からはプリント配線基板１３に搭載された配線接続用のコネクタ１３１が露出している。
【００３７】
なお、発光ダイオード組立体１を分解するために上枠部材１２には工具挿入孔１２４が形成されているものである。この工具挿入孔１２４は、上枠部材１２のフック１２１に係合した前記係合爪１１６のフックの延長線上に位置している。したがって、前記工具挿入孔１２４から工具（例えば、マイナスドライバー）を挿入して係合爪１１６を内方に撓ませて係合爪１１６のフックを前記フック１２１から引き外したうえで、上枠部材１２と下枠部材１１を引き離す。このようにして発光ダイオード組立体１を分解することができる。
【００３８】
さて、前述したように組み立てられた発光ダイオード組立体１は取付台３を介して中扉６０に固着され、前記発光ダイオード組立体１に対して取付台３は次のようにして組み付けられる。すなわち、前記発光ダイオード組立体１の上枠部材１２には取付台３における前後一対の挟持片３２，３３の先端に設けたフックが係合する前後一対の係合穴１２２，１２２が形成されており、発光ダイオード組立体１の下方から取付台３における前方側の挟持片３２のフックを発光ダイオード組立体１の前方側の係合穴１２２に係合させる。この場合、取付台３が発光ダイオード組立体１の前面側に回り込み、後方側の挟持片３３の先端が発光ダイオード組立体１の下面に当接している。この状態から取付台３を発光ダイオード組立体１の後面側に回り込むように前方側の挟持片３２を強制的に撓ませつつ回動させると後方側の挟持片３３の先端が発光ダイオード組立体１の下面を通り越して発光ダイオード組立体１の後方側の側面に回り込む。引き続き、取付台３を回動させると前後の挟持片３２，３３の間に発光ダイオード組立体１が除除に嵌まり込むので、取付台３の後方側の挟持片３３の先端に設けたフックを発光ダイオード組立体１の後方側の係合穴１２２に接近させる。そして、前記挟持片３３の先端に設けたフックが発光ダイオード組立体１の後方側の係合穴１２２に係合すると、取付台３の載置面３１が発光ダイオード組立体１の下面に密着し、この状態で前方側の挟持片３２は元の状態に復元している。これにより取付台３が発光ダイオード組立体１に組み付けられる。
【００３９】
このように、発光ダイオード組立体１に一体に組み付けられた取付台３を中扉６０（図１参照）に取付けるのであるが、この取付台３の中扉６０への取付けは、取付台３の後面壁３４に形成された係止片３５を中扉６０に設けた係止孔（不図示）に挿入係止させる。これにより取付台３を介して発光ダイオード組立体１が中扉６０の所定位置に固定される。そして、発光ダイオード組立体１の上枠部材１２のコネクタ貫通穴１２３から露出したプリント配線基板１３に搭載された配線接続用のコネクタ１３１には外扉２０（図２０参照）に配設した制御ボックスに接続されたハーネスが中扉６０の背面から当該中扉６０に設けた孔を介して前面に引き回されており、前記ハーネスに接続されたカプラが差し込まれる。これにより制御ボックスとプリント配線基板１３に搭載された発光ダイオードＬＥＤとの間で信号の授受が行われる。なお、取付台３を介して中扉６０に取付けられた発光ダイオード組立体１は前方側が低く、後方側が高くなるように傾斜しており、これにより発光ダイオード組立体１に内蔵された発光ダイオードＬＥＤからの光は中扉６０の前面に照射され、ディスプレイ室５０内が間接照明されるように構成されている。また、図５から理解できるように、発光ダイオード組立体１に一体に形成されたホルダー２は断面「く」字状に形成され、フラットタイプの商品見本８０Ａ（図１、図２参照）を保持する一条の保持溝２１の溝孔が鉛直方向を向くように構成されているものである。
【００４０】
前述したように外扉６０に取付けられた発光ダイオード組立体１のホルダー２には、図１および図２に示すように、フラットタイプの商品見本８０Ａが起立姿勢で展示される。フラットタイプの商品見本８０Ａは、可撓性の薄いプラスチックシートに商品の外観意匠を印刷した矩形平板状の透明若しくは半透明のシートからなるものである。この商品見本８０Ａは、発光ダイオード組立体１のホルダー２に形成された一条の保持溝２１（図４参照）に次のように差し込むことによりホルダー２に起立姿勢で展示される。すなわち、商品見本８０Ａをホルダー２に形成した湾曲した保持溝２１に準じて湾曲させたうえで当該保持溝２１の上方の開放端から差し込む。この場合、前記保持溝２１の内壁は互い違いに噛み合う鋸歯状に形成され、両者の鋸歯の先端の間に商品見本８０Ａの厚みに相当する微小間隙が生じるように構成されているので、商品見本８０Ａと保持溝２１との間にがたつきがなく、かつ、商品見本８０Ａが湾曲した保持溝２１に倣って湾曲していることから商品見本８０Ａは保持溝２１に密着している。このため、商品見本８０Ａはホルダー２から脱落することがなく、さらに湾曲していることからしな垂れることなく安定した起立姿勢を維持した状態で展示される。
【００４１】
ここで、前記フラットタイプの商品見本８０Ａにおける左右両側縁には切欠８０１（図２参照）が設けられおり、この切欠８０１について次に説明する。前述したようにフラットタイプの商品見本８０Ａをホルダー２に安定した起立姿勢で展示されるようにするため、商品見本８０Ａは保持溝２１に倣って湾曲させられている。このため、切欠８０１を備えていない商品見本８０Ａは下部領域から上部領域までの全体が湾曲してしまい、商品見本８０Ａに印刷した商品の外観意匠の見栄えを損なうおそれがある。そこで、商品見本８０Ａには左右側縁の下部側に切欠８０１を設けている。このように、切欠８０１を有する商品見本８０Ａの下端を湾曲させる、つまり、前記ホルダー２の保持溝２１に挿入した場合、シート状商品見本８０Ａの切欠８０１よりも下部領域は保持溝２１の湾曲に倣って湾曲（曲率の小さい湾曲）するが、前記切欠８０１によって下部領域との繋がりが一部絶たれた切欠８０１よりも上部側領域の湾曲は下部側の湾曲に対して比較的小さくなる（曲率の大きな湾曲となる）。このように、切欠８０１を形成することにより商品見本８０Ａの湾曲を抑えることができる。したがって、フラットタイプの商品見本８０Ａの剛性を高めるために湾曲させた場合に商品見本８０Ａに印刷された商品の外観意匠の損なうおそれがあるという矛盾を商品見本８０Ａにおける左右両側縁に形成した切欠８０１により打破することができる。なお、切欠８０１は角型に限らず円弧形状とすることもでき、さらに、切欠８０１に代えて切り込みを入れることもできるものである。
【００４２】
前述したように本発明の実施の形態１に係る自動販売機によれば、本体キャビネット１０の前面を開閉する外扉２０に形成されたディスプレイ室５０と、当該ディスプレイ室５０に展示された複数の商品見本８０Ａを照明する照明手段を備え、前記照明手段の光源として発光ダイオードＬＥＤを用いた自動販売機であって、前記照明手段は前記発光ダイオードＬＥＤを内蔵する発光ダイオード組立体１からなり、当該発光ダイオード組立体１にフラットタイプの商品見本８０Ａを展示するホルダー２を一体に形成したことにより、複数の商品見本８０Ａを照明する発光ダイオード組立体１を商品見本展示用のディスプレイ台７０（図２０参照）として兼用することができ、前記発光ダイオード組立体１は従来装置のディスプレイ台７０に対して厚みを小さくすることが可能であり、商品見本としてフルタイプの商品見本８０に対して厚みの小さいフラットタイプの商品見本８０Ａを採用することによって、ディスプレイ室５０の奥行き寸法を小さくすることができる。したがって、ディスプレイ室５０の背面に固着された断熱内扉３０の厚みを厚くすることができるので、断熱内扉３０による庫内の断熱性能を従来装置の性能と同一とした場合には低価格帯の断熱材料を使用することができ、コストの低減を図ることが可能となる。さらに、鋼板製のディスプレイ台７０を削減することができるので、自動販売機の総重量を低減することができるものである。
【００４３】
（実施の形態２）
次に、本発明の実施の形態２に係る自動販売機について図６〜図１０を参照して説明する。図６は本発明の実施の形態２に係る自動販売機の主要部である発光ダイオード組立体にハーフタイプの商品見本とフラットタイプの商品見本とを展示した状態の斜視図、図７は図６に示した発光ダイオード組立体の分解斜視図、図８は図７に示した発光ダイオード組立体の右端側の拡大平面図、図９は図８のＢ−Ｂ線断面図、図１０は図９に示した発光ダイオード組立体にハーフタイプの商品見本を展示した状態の断面図であり、図１〜図５に示した実施の形態１の自動販売機と同一のものには同一の符号を付してその説明を省略する。
【００４４】
図６〜図１０に示す実施の形態２に係る自動販売機が実施の形態１の自動販売機と相違する点は、発光ダイオード組立体１Ａであり、その他は実施の形態１の自動販売機と同一である。前記発光ダイオード組立体１Ａが実施の形態１の発光ダイオード組立体１と相違する点は、上枠部材１２の頭部に一体に形成したフラットタイプの商品見本を保持する複数のホルダー２から後方に延在するとともにハーフタイプの商品見本を挟持するクリップ４を設けた点である。前記クリップ４は、図８に示すように、左右方向に幅を有して構成されている。一方、ハーフタイプの商品見本８０Ｂは、缶，ペットボトルなどの容器形状に一致させたフルタイプの商品見本８０（図２０参照）の本体を縦方向に半割り状に切断したものであって、弓張月状の底板８０Ｂ１（図１０参照）を有するものである。
【００４５】
前記発光ダイオード組立体１Ａは取付台３を介して中扉６０に取付けられ、前記発光ダイオード組立体１Ａのクリップ４にハーフタイプの商品見本８０Ｂを係止して展示される。すなわち、中扉６０に取付けられた発光ダイオード組立体１Ａのホルダー２の上端にハーフタイプの商品見本８０Ｂの底板８０Ｂ１を乗せたうえで商品見本８０Ｂを後方側にスライドさせると、商品見本８０Ｂの底板８０Ｂ１がクリップ４に挟み込まれて係止される。これにより商品見本８０Ｂはクリップ４に係止された状態で起立姿勢に展示される。なお、発光ダイオード組立体１Ａのホルダー２には実施の形態１と同様にフラットタイプの商品見本８０Ａを展示することができるものであり、図６に示すように、発光ダイオード組立体１Ａにはハーフタイプの商品見本８０Ｂとフラットタイプの商品見本８０Ａを混合して展示することができる。もちろん、発光ダイオード組立体１Ａに展示する商品見本の全てをハーフタイプの商品見本８０Ｂとすることができるものである。
【００４６】
前述したように本発明の実施の形態２に係る自動販売機によれば、本体キャビネット１０の前面を開閉する外扉２０に形成されたディスプレイ室５０と、当該ディスプレイ室５０に展示された複数の商品見本８０Ａ，８０Ｂを照明する照明手段を備え、前記照明手段の光源として発光ダイオードＬＥＤを用いた自動販売機であって、前記照明手段は前記発光ダイオードＬＥＤを内蔵する発光ダイオード組立体１Ａからなり、当該発光ダイオード組立体１にフラットタイプの商品見本８０Ａを展示するホルダー２を一体に形成し、かつ、フラットタイプの商品見本８０Ｂを保持するホルダー２ら後方に延在するとともにハーフタイプの商品見本８０Ｂを挟持するクリップ４を設けたことにより、実施の形態１と同様に、ディスプレイ室５０の背面に固着された断熱内扉３０の厚みを厚くすることができるので、断熱内扉３０による庫内の断熱性能を従来装置の性能と同一とした場合には低価格帯の断熱材料を使用することができ、コストの低減を図ることが可能で、かつ、鋼板製のディスプレイ台を削減することができるので、自動販売機の総重量を低減することができるという効果に加え、発光ダイオード組立体１Ａを用いてハーフタイプの商品見本８０Ｂを展示すること、或いはハーフタイプの商品見本８０Ｂとフラットタイプの商品見本８０Ａとの両者を混合して展示することができるものである。
【００４７】
（実施の形態３）
次に、本発明の実施の形態３に係る自動販売機について図１１〜図１５を参照して説明する。図１１は本発明の実施の形態３に係る自動販売機の主要部である発光ダイオード組立体にハーフタイプの商品見本を展示した状態の斜視図、図１２は図１１に示した発光ダイオード組立体の分解斜視図、図１３は発光ダイオード組立体における上枠部材を右斜め上方から見た斜視図、図１４は上枠部材における左端側の拡大斜視図、図１５は商品のコールド，ホット状態を表す冷温情報および商品の価格情報を表示する個別の商品情報表示部材の正面図であり、（ａ）は商品情報表示部材の展開図、（ｂ）は商品情報表示部材の折り畳み図である。図１〜図５に示した実施の形態１の自動販売機と同一のものには同一の符号を付してその説明を省略する。
【００４８】
図１１〜図１５に示す実施の形態３に係る自動販売機が実施の形態１の自動販売機と相違する点は、発光ダイオード組立体１Ｂと、この発光ダイオード組立体１Ｂに装着される商品情報表示部材５を備えた点であり、その他は実施の形態１の自動販売機と同一である。前記発光ダイオード組立体１Ｂが実施の形態１の発光ダイオード組立体１と相違する点は、上枠部材１２の頭部に一体に形成したフラットタイプの商品見本８０Ａを保持する複数のホルダー２の前面に、図１５に示す個別の商品情報表示部材５を保持する商品情報保持部６を設けた点である。前記商品情報保持部６は、図１３に示すように、ホルダー２における上部側の左右側縁から前方に延在するとともに先端が互いに向き合う方向に屈曲して形成された把持片６１，６１と、ホルダー２の基端部から前方に突出するように形成された保持板６２とからなる。保持板６２の上部側には蛇腹状の二つの突出板６３，６３が形成されている。前記保持板６２は把持片６１，６１の屈曲した先端の下方まで延在している一方、突出板６３，６３は前方側に凸状に湾曲して形成されたホルダー２の前面に略一致する位置まで延在、すなわち、突出板６３，６３は前記保持板６２よりも奥まっている。
【００４９】
前記商品情報表示部材５は、前記ホルダー２における上部側の左右側縁から前方に延在する態様で形成された把持片６１，６１の間の寸法に略一致する幅を有し、前記保持板６２から把持片６１，６１の上端までの寸法の略２倍に相当する高さを有する矩形のプラスチックシートからなり、上下方向の中間位置で背中合わせに折り畳まれるようになっている。前記商品情報表示部材５には、上下方向の中間位置を境として上方域および下方域に庫内に保存された商品のコールド，ホット状態を表す冷温情報５１および商品の価格情報５２を表示する表示面を有し、この実施の形態では上部表示面に商品のコールド状態を表すパターンとして寒色（青色）の背景色に白抜きの「ＣＯＬＤ」の文字と商品の商品価格（「￥１２０」）が表示され、下部表示面に商品のホット状態を表すパターンとして暖色（赤色）の背景色に白抜きの「ＨＯＴ」の文字と商品の商品価格（「￥１２０」）が逆さまに表示されている。したがって、前記商品情報表示部材５を上下方向の中間位置で背中合わせに折り畳むと、一方の面に商品のホット状態を表すパターンとして暖色（赤色）の背景色に白抜きの「ＨＯＴ」の文字と商品の価格情報（「￥１２０」）が表れ、他方の面に商品のコールド状態を表すパターンとして寒色（青色）の背景色に白抜きの「ＣＯＬＤ」の文字と商品の価格情報（「￥１２０」）が表れる。
【００５０】
前記商品情報表示部材５は、上下方向の中間位置で背中合わせに折り畳んだうえで折目側から発光ダイオード組立体１Ｂにおけるホルダー２に設けた把持片６１，６１の間に装着される。すなわち、商品情報表示部材５の一方の面（図１１の場合には庫内に保存された商品のホット状態を表す「ＨＯＴ」の文字と商品の価格情報（「￥１２０」）が表示された面）を前面とし、他方の面（商品のコールド状態を表す「ＣＯＬＤ」の文字と商品の価格情報（「￥１２０」）が表示された面）を背面として前記把持片６１，６１の上方から商品情報表示部材５の折目側を把持片６１，６１の間に挿入して当該折目部を保持板６２の上面に当接させる。この状態で商品情報表示部材５の前方側から一方の面を押圧して押し込むと商品情報表示部材５の他方の面が保持板６２の上方に設けた突出板６３，６３の先端に当接して位置決めされる。前述したように商品情報表示部材５をホルダー２の前面に形成した把持片６１，６１に装着した状態において前記商品情報表示部材５の折目とは反対側の端部（自由端）がホルダー２の前面と把持片６１，６１における互いに向き合う方向に屈曲した先端との間に保持される。この場合、折り畳まれた商品情報表示部材５は元に戻ろうとする復元力を備えており、商品情報表示部材５の折目とは反対側の端部（自由端）がホルダー２の前面と把持片６１，６１の屈曲した先端とに押付けられる。これにより、商品情報表示部材５はホルダー２の前面に形成した把持片６１，６１にがたつきなく安定した状態に保持される。
【００５１】
前述したように本発明の実施の形態３に係る自動販売機によれば、発光ダイオード組立体１Ｂは、当該発光ダイオード組立体１Ｂに一体に複数形成されたホルダー２に対応する商品のコールド，ホット状態を表す冷温情報（「ＨＯＴ」若しくは「ＣＯＬＤ」）および商品の価格情報（「￥１２０」）を表示する商品情報表示部材５が着脱自在に装着される商品情報表示部６を有することにより、別途商品情報表示部材５を保持する部材を設ける必要がないので部品点数を削減することが可能となる利点を有する。
【００５２】
（実施の形態４）
次に、本発明の実施の形態４に係る自動販売機について図１６〜図１９を参照して説明する。図１６は本発明の実施の形態４に係る自動販売機の主要部である発光ダイオード組立体にフラットタイプの商品見本を展示した状態の斜視図、図１７は図１６に示した発光ダイオード組立体の分解斜視図、図１８は発光ダイオード組立体における上枠部材を右斜め上方から見た斜視図、図１９は商品のコールド，ホット状態を表す冷温情報および商品の価格情報を表示する横長帯状の商品情報表示部材の正面図であり、図１〜図５に示した実施の形態１の自動販売機と同一のものには同一の符号を付してその説明を省略する。
【００５３】
図１６〜図１９に示す実施の形態４に係る自動販売機が実施の形態１の自動販売機と相違する点は、発光ダイオード組立体１Ｃであり、その他は実施の形態１の自動販売機と同一である。前記発光ダイオード組立体１Ｃが実施の形態１の発光ダイオード組立体１と相違する点は、上枠部材１２の頭部に一体に形成したフラットタイプの商品見本を保持する複数のホルダー２の前面に複数のホルダーに跨る態様で配設されるところの複数の冷温情報および価格情報を表示する横長帯状の商品情報表示部材７保持する商品情報保持部８を設けた点である。前記商品情報保持部８は、図１７および図１８に示すように、ホルダー２の基端側から前方に突出するように形成された載置板８１と、この載置板８１の前端から上方に延在する保持板８２からなる。前記載置板８１および保持板８２は複数のホルダー２に跨る態様で前記発光ダイオード組立体１Ｃの横幅と略同一の横幅を有している。前記保持板８２の両端部は後方に向けて屈曲形成されている。ここで、前記載置板８１の前端から上方に延在する保持板８２は、それぞれ前方側に凸状に湾曲して形成された複数のホルダー２の前面よりも前方に位置し、前記ホルダー２の前面と保持板８２との間に商品情報表示部材７を装着する隙間が形成されるように構成されている。なお、前記保持板８２の高さは商品情報表示部材７の高さの略１／２の高さを有している。
【００５４】
前記商品情報表示部材７は、横長帯状の合成樹脂製フィルムからなり、その長手方向に沿った中間位置を境として上方域および下方域には、庫内に保存された商品のコールド，ホット状態を表す冷温情報７１および商品の価格情報７２を表示する表示面を有し、この実施の形態では上部表示面に商品のコールド状態を表すパターンとして寒色（青色）の背景色に白抜きの「ＣＯＬＤ」の文字と商品の商品価格（「￥１２０」）が左右方向に複数表示され、下部表示面に商品のホット状態を表すパターンとして暖色（赤色）の背景色に白抜きの「ＨＯＴ」の文字と商品の商品価格（「￥１２０」）が左右方向に複数、上部表示面の表示と逆さまに表示されている。
【００５５】
前記商品情報表示部材７は、発光ダイオード組立体１Ｃにおけるホルダー２の前面に設けた保持板８２の背後に装着される。すなわち、商品情報表示部材７を前記保持板８２の上方から当該保持板８２の背後であるところの保持板８２とホルダー２の前面の間の隙間に挿入して載置板８１に載置させる。このように商品情報表示部材７を保持板８２の背後に装着した状態で、当該商品情報表示部材７は保持板８２の両端に設けた後方への屈曲部により位置決めされるとともに左右方向への移動が規制される。
【００５６】
前述したように本発明の実施の形態４に係る自動販売機によれば、発光ダイオード組立体１Ｃは、当該発光ダイオード組立体１Ｃに複数形成されたホルダー２に対応して商品のコールド，ホット状態を表す冷温情報（「ＨＯＴ」若しくは「ＣＯＬＤ」）および商品の価格情報（「￥１２０」）を表示する商品情報表示部材７が着脱自在に装着される商品情報表示部８を有することにより、別途商品情報表示部材７を保持する部材を設ける必要がないので部品点数を削減することが可能となる利点を有する。
【００５７】
前述した本発明に係る自動販売機によれば、発光ダイオード組立体１〜１Ｃは、ディスプレイ室５０（図２０参照）の左右方向に延在する態様で横長帯状体として形成され、この発光ダイオード組立体１〜１Ｃの上枠部材１２に連ねて商品見本８０Ａ，８０Ｂを展示するホルダー２が左右方向に複数形成されてなることにより、従来装置のディスプレイ台７０（図２０参照）と同様に左右方向に延在する一つの発光ダイオード組立体１〜１Ｃのとして形成することができる一方、従来装置のディスプレイ台７０を左右方向にｎ分割（ｎ＜２以上の整数）したユニットとして形成してこれらを横並びに並設することも可能であり、この場合にはプリント配線基板１３に実装された複数の発光ダイオードＬＥＤのうちの一つの発光ダイオードＬＥＤが故障、若しくはホルダー２が破損した際、当該故障した発光ダイオードＬＥＤ、若しくは破損したホルダー２を搭載した発光ダイオード組立体１〜１Ｃのみを交換すれば部品の無駄を削減することができる。
【００５８】
なお、上記各実施の形態においては、保持溝２１が一条の連続した溝からなる形態について説明したが、例えば、保持溝２１が連続しておらずに細切れに分散されたものであってもよく、また、溝の代わりに複数の突起を並設して微小間隙を形成することもできる。したがって、一条の保持溝２１とはシート状商品見本８０Ａを湾曲した状態で保持できるものを総称するものであり、また、発光ダイオード組立体１〜１Ｃは取付台３を介して中扉６０に取付けられるように構成されたものについて説明したが、発光ダイオード組立体１〜１Ｃに中扉６０への係止片を一体に形成して発光ダイオード組立体１〜１Ｃを直接中扉６０に取付けることもできるものである。前述した実施の形態によりこの発明が限定されるものではない。
【符号の説明】
【００５９】
１，１Ａ，１Ｂ，１Ｃ…発光ダイオード組立体、２…ホルダー、３…取付台、４…クリップ、５…取付金具、５，７…商品情報表示部材、６，８…商品情報表示部、１０…本体キャビネット、１１…下枠部材、１２…上枠部材、１３…プリント配線基板、２０…外扉、２１…保持溝、３０…断熱内扉、５０…ディスプレイ室、５１，７１…冷温情報、５２，７２…価格情報、６０…中扉、８０…商品見本（フルタイプ）、８０Ａ…商品見本（フラットタイプ）、８０Ｂ…商品見本（ハーフタイプ）、８０１…切欠。
【図１】
2013061723.tif 000003
【図２】
2013061723.tif 000004
【図３】
2013061723.tif 000005
【図４】
2013061723.tif 000006
【図５】
2013061723.tif 000007
【図６】
2013061723.tif 000008
【図７】
2013061723.tif 000009
【図８】
2013061723.tif 000010
【図９】
2013061723.tif 000011
【図１０】
2013061723.tif 000012
【図１１】
2013061723.tif 000013
【図１２】
2013061723.tif 000014
【図１３】
2013061723.tif 000015
【図１４】
2013061723.tif 000016
【図１５】
2013061723.tif 000017
【図１６】
2013061723.tif 000018
【図１７】
2013061723.tif 000019
【図１８】
2013061723.tif 000020
【図１９】
2013061723.tif 000021
【図２０】
2013061723.tif 000022